(57)【特許請求の範囲】
【請求項１】
樹脂基材上に保護層を有する有機ガラス積層用フィルムであって、該保護層が電離放射線硬化性樹脂とフッ素含有界面活性剤とを含有する電離放射線硬化性樹脂組成物の硬化物からなり、該電離放射線硬化性樹脂が少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする有機ガラス積層用フィルム。
【請求項２】
前記電離放射線硬化性樹脂組成物が、前記電離放射線硬化性樹脂１００質量部に対して前記フッ素含有界面活性剤を１〜２０質量部含有することを特徴とする請求項１に記載の有機ガラス積層用フィルム。
【請求項３】
前記透明樹脂基材と前記保護層との間に接着層を有する請求項１又は２に記載の有機ガラス積層用フィルム。
【請求項４】
請求項１〜３のいずれかに記載の有機ガラス積層用フィルムを金型内に配置する工程（１）、基体用樹脂を金型内に射出する工程（２）、及び該基体用樹脂が冷却した後に金型から有機ガラス成形品を取り出す工程（３）をこの順に有する有機ガラス成形品の製造方法。
【請求項５】
少なくとも樹脂基体、樹脂基材及び保護層をこの順に有する有機ガラス成形品であって、該保護層が電離放射線硬化性樹脂とフッ素含有界面活性剤とを含有する電離放射線硬化性樹脂組成物の硬化物からなり、該電離放射線硬化性樹脂が少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする有機ガラス成形品。
【発明の詳細な説明】
【技術分野】
【０００１】
本発明は、有機ガラス積層用フィルムに関する。
【背景技術】
【０００２】
自動車車輌窓材の軽量化等を目的とし、ガラス代替品として有機ガラスの研究が行われている。ポリカーボネートは強度が高く、透明度も高い点から有機ガラスとして利用されている。しかし、自動車車輌窓材として用いた場合、傷が付き易いという問題点がある。さらに、自動車車輌窓材は、空気中の埃や粉塵、油分といった汚染物が付着しやすく、該汚染物が付着した状態で風雨にさらされると、外観が著しく低下するという問題があった。
【０００３】
上記の問題は、従来、一般住居の玄関ドアや外装材、公共施設の床材や外壁などの内外装、あるいは建造物や屋外に設置される構造物において問題となっており、例えば、特許文献１では、高度に親水化された自浄性を有する表面層を、当該表面層の屈折率よりも高い屈折率を有する層の表面に、０．０５〜０．２０μｍの厚みで設けることにより、表面に自浄性を有し、且つその表面反射が低減することで透明性が向上し、窓ガラス、看板、道路標識などの表面に適用した際に、その視認性が低下することのないセルフクリーニングフィルムを提供することが提案されている。
また、特許文献２では、電離放射線硬化性樹脂及びシリケート化合物やアルキルシリケートなどの親水化剤を含有する接着剤組成物及びこれを架橋硬化してなる表面保護層を有するシートを提供することにより、シートに優れた自浄性能とその持続性、耐候性とその持続性、及び透明性に加えて、可視光透過性、紫外線遮断性能を付与することが提案され、特許文献３では、基材と硬化性樹脂組成物を架橋硬化してなる表面保護層とからなり、その硬化性樹脂組成物全量中に含フッ素重合体を０．５〜５質量％含む化粧シートが提案されている。
【先行技術文献】
【特許文献】
【０００４】
【特許文献１】特開２００２−１１８１７号公報
【特許文献２】国際公開第２０１１／０８１２０１号
【特許文献３】特開２０１１−２１３００２号公報
【発明の開示】
【発明が解決しようとする課題】
【０００５】
本発明者らは、有機ガラスの表面を保護する有機ガラス積層用フィルムの自浄性能として、そのフィルムの自浄性と共に、有機ガラス積層用フィルムが有機ガラスに積層された成形品における自浄性が重要であると着目した。
そこで、本発明は、フィルムの自浄性、フィルムの自浄性効果発現速度、及び成形品の自浄性の向上を可能とする有機ガラス積層用フィルムを提供することを課題とするものである。
【課題を解決するための手段】
【０００６】
本発明者らは、前記課題を解決するために鋭意研究を重ねた結果、有機ガラス積層用フィルムの保護層として、特定の電離放射線硬化性樹脂組成物を用いることにより上記課題を解決し得ることを見出した。
すなわち、本発明は、
［１］  樹脂基材上に保護層を有する有機ガラス積層用フィルムであって、該保護層が電離放射線硬化性樹脂とフッ素含有界面活性剤とを含有する電離放射線硬化性樹脂組成物の硬化物からなり、該電離放射線硬化性樹脂が少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする有機ガラス積層用フィルム、
［２］  上記［１］に記載の有機ガラス積層用フィルムを金型内に配置する工程（１）、基体用樹脂を金型内に射出する工程（２）、及び該基体用樹脂が冷却した後に金型から有機ガラス成形品を取り出す工程（３）をこの順に有する有機ガラス成形品の製造方法、及び
［３］  少なくとも樹脂基体、樹脂基材及び保護層をこの順に有する有機ガラス成形品であって、該保護層が電離放射線硬化性樹脂とフッ素含有界面活性剤とを含有する電離放射線硬化性樹脂組成物の硬化物からなり、該電離放射線硬化性樹脂が少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする有機ガラス成形品である。
【発明の効果】
【０００７】
本発明によれば、フィルムの自浄性、フィルムの自浄性効果発現速度、及び有機ガラス成形品の自浄性の向上を可能とする有機ガラス積層用フィルムを得ることができる。
【図面の簡単な説明】
【０００８】
【図１】本発明の有機ガラス積層用フィルムの断面を示す模式図である。
【発明を実施するための形態】
【０００９】
本発明を、図面に基づき説明する。図１は、本発明の有機ガラス積層用フィルムの断面を示す模式図である。
本発明の有機ガラス積層用フィルム１は、樹脂基材２上に保護層３を有するものであり、所望により樹脂基材２と保護層３との間に接着層４を有していてもよい。ここで有機ガラスとは、プラスチック材料で構成される部材を指し、所謂、一般的に主成分として二酸化ケイ素を含有するケイ酸ガラスや、石英ガラスなどの無機ガラスの代替用部材として用いられるものである。なお、有機ガラスとしては、透明ガラス、着色透明ガラス、曇りガラスなどが含まれる。
保護層３は、電離放射線硬化性樹脂とフッ素含有界面活性剤とを含有する電離放射線硬化性樹脂組成物の硬化物からなることを特徴とする。ここで、本明細書において電離放射線とは、電磁波又は荷電粒子線のうち分子を重合あるいは架橋し得るエネルギー量子を有するものを意味し、通常、紫外線（ＵＶ）又は電子線（ＥＢ）が用いられるが、その他に、Ｘ線、γ線などの電磁波、α線、イオン線などの荷電粒子線も使用可能である。
【００１０】
保護層３の厚さは、３〜２０μｍが好ましく、３〜１５μｍがより好ましく、さらに好ましくは４〜１２μｍである。保護層３の厚さが上記範囲内であると、優れた自浄性及び可視光透過性が効率的に得られる。また、優れた作業性も得られる。
【００１１】
≪電離放射線硬化性樹脂≫
本発明で用いられる電離放射線硬化性樹脂は、少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする。質量比（９８／２）よりポリカーボネート（メタ）アクリレートが多くなると耐擦傷性が低下し、質量比（５０／５０）よりポリカーボネート（メタ）アクリレートが少なくなると三次元成形性が低下してしまう。この耐擦傷性と三次元成形性とをより好適に向上させる観点から質量比｛ポリカーボネート（メタ）アクリレート／多官能（メタ）アクリレート｝が（９６：４）〜（８０：２０）であることが好ましい。
【００１２】
本発明に用いられるポリカーボネート（メタ）アクリレートは、特に限定されず、ポリマー主鎖にカーボネート結合を有し、且つ末端あるいは側鎖に（メタ）アクリレートを有するものであれば良い。このポリカーボネート（メタ）アクリレートは、架橋、硬化する観点から、２官能以上有することが好ましく、２〜５官能有することがより好ましい。２官能以上であると架橋密度が十分となるため、硬化後の保護層３に傷がつきにくくなり、また、５官能以下であると、架橋密度が高すぎないため、加飾シートを三次元成形に供した場合であっても、形状に十分に追従することができる。
ポリカーボネート（メタ）アクリレートは、ＧＰＣ分析によって測定され、かつ標準ポリスチレンで換算された重量平均分子量が、５００以上であることが好ましく、１，０００以上であることがより好ましく、２，０００以上であることがさらに好ましい。ポリカーボネート（メタ）アクリレートの重量平均分子量の上限は特に制限されないが、粘度が高くなり過ぎないように制御する観点から１００，０００以下が好ましく、５０，０００以下がさらに好ましい。耐擦傷性と三次元成形性とを改良する観点から、２，０００〜５０，０００が好ましく、５，０００〜２０，０００がさらに好ましい。本発明において、「（メタ）アクリレート」とは、「アクリレート又はメタクリレート」を意味する。
ポリカーボネート（メタ）アクリレートは１種を単独で用いてもよいし、２種以上を組み合わせて用いてもよい。
【００１３】
本発明に用いられる多官能（メタ）アクリレートは、２官能以上の（メタ）アクリレートであれば良く、特に制限はない。ただし、硬化性の観点から３官能以上の（メタ）アクリレートが好ましい。ここで、２官能とは、分子内にエチレン性不飽和結合｛（メタ）アクリロイル基｝を２個有することをいう。
また、多官能（メタ）アクリレートは、オリゴマー及びモノマーのいずれでも良いが、三次元成形性向上の観点から多官能（メタ）アクリレートオリゴマーが好ましい。
多官能（メタ）アクリレートは、ＧＰＣ分析によって測定され、かつ標準ポリスチレンで換算された重量平均分子量が、５００以上であることが好ましく、１，０００以上であることがより好ましく、２，０００以上であることがさらに好ましく、５，０００以上が特に好ましい。多官能（メタ）アクリレートの重量平均分子量の上限は特に制限されないが、粘度が高くなり過ぎないように制御する観点から１００，０００以下が好ましく、５０，０００以下がより好ましく、２０，０００以下が特に好ましい。耐擦傷性と三次元成形性とを向上させる観点から、さらに好ましくは、２，０００〜５０，０００であり、特に好ましくは、５，０００〜２０，０００である。
【００１４】
上記の多官能（メタ）アクリレートオリゴマーとしては、例えばウレタン（メタ）アクリレート系オリゴマー、エポキシ（メタ）アクリレート系オリゴマー、ポリエステル（メタ）アクリレート系オリゴマー、ポリエーテル（メタ）アクリレート系オリゴマーなどが挙げられる。ここで、ウレタン（メタ）アクリレート系オリゴマーは、例えば、ポリエーテルポリオールやポリエステルポリオールとポリイソシアネートの反応によって得られるポリウレタンオリゴマーを、（メタ）アクリル酸でエステル化することにより得ることができる。エポキシ（メタ）アクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物で変性したカルボキシル変性型のエポキシ（メタ）アクリレートオリゴマーも用いることができる。ポリエステル（メタ）アクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。ポリエーテル（メタ）アクリレート系オリゴマーは、ポリエーテルポリオールの水酸基を（メタ）アクリル酸でエステル化することにより得ることができる。
【００１５】
さらに、他の多官能（メタ）アクリレートオリゴマーとしては、ポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマーなどが挙げられる。
多官能（メタ）アクリレートは１種を単独で用いてもよいし、２種以上を組み合わせて用いてもよい。
【００１６】
本発明においては、上記多官能性（メタ）アクリレートとともに、その粘度を調整するなどの目的で、メチル（メタ）アクリレートなどの単官能性（メタ）アクリレートを、本発明の目的を損なわない範囲で適宜併用することができる。単官能性（メタ）アクリレートは１種を単独で用いてもよいし、２種以上を組み合わせて用いてもよい。
【００１７】
電離放射線硬化性樹脂として紫外線硬化性樹脂を用いる場合には、光重合用開始剤を紫外線硬化性樹脂１００質量部に対して、０．１〜５質量部程度添加することが望ましい。光重合用開始剤としては、従来慣用されているものから適宜選択することができ、特に限定されない。また、所望により、光増感剤を加えてもよい。
【００１８】
≪フッ素含有界面活性剤≫
フッ素含有界面活性剤としては、特に限定するものではないが、カチオン性、アニオン性、両性、ノニオン性のいずれでもよい。カチオン性フッ素系界面活性剤としては、例えば、パーフルオロアルキルトリメチルアンモニウムヨウ化物のようなパーフルオロアルキルトリメチルアンモニウム塩類が挙げられるアニオン性フッ素系界面活性剤としては、例えば、パーフルオロアルキルスルホン酸アンモニウム塩、パーフルオロアルキルスルホン酸カリウム塩、パーフルオロアルキルスルホン酸ナトリウム塩等のパーフルオロアルキルスルホン酸塩類、パーフルオロアルキルカルボン酸アンモニウム塩、パーフルオロアルキルカルボン酸カリウム塩、パーフルオロアルキルカルボン酸ナトリウム塩等のパーフルオロアルキルカルボン酸塩類、パーフルオロアルキルナフタレンスルホン酸塩類、パーフルオロアルキルベンゼンスルホン酸塩類、パーフルオロアルキルジアリルスルホン酸塩類、パーフルオロアルキル燐酸エステル類等が挙げられる。両性フッ素系界面活性剤としては、例えば、パーフルオロアルキルアミノスルホン酸塩（パーフルオロアルキルベタイン）類が挙げられる。ノニオン性フッ素系界面活性剤としては、例えば、パーフルオロアルキルエチレンオキサイド付加物、パーフルオロアルキルエステル類、パーフルオロアルキル基・親水性基含有オリゴマー、パーフルオロアルキル基・親油基含有オリゴマー、パーフルオロアルキル基含有オリゴマー、パーフルオロアルキル基・親油基含有ウレタン、パーフルオロアルキルオリゴマー、パーフルオロアルキルアミンオキサイド、パーフルオロアルキル基含有シリコーンのエチレンオキサイド付加物等が挙げられる。
これらの内、ノニオン性フッ素系界面活性剤が自浄性に優れるので好ましく、パーフルオロアルキルエチレンオキシド付加物が特に自浄性に優れるのでさらに好ましい。
【００１９】
フッ素含有界面活性剤の含有量は、優れた自浄性及び透明性を得ることができ、電離放射線硬化性樹脂のより良い架橋硬化の状態が得られる観点から、電離放射線硬化性樹脂組成物が、電離放射線硬化性樹脂１００質量部に対してフッ素含有界面活性剤を１〜２０質量部含有することが好ましく、１〜１５質量部含有することがより好ましく、１〜１０質量部含有することがさらに好ましい。
【００２０】
≪各種添加剤≫
本発明に係る電離放射線硬化性樹脂組成物は、その性能を阻害しない範囲で各種添加剤を含有することができる。各種添加剤としては、例えば、耐候性改善剤、重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
【００２１】
≪樹脂基材２≫
本発明の有機ガラス積層用フィルム１で用いられる樹脂基材２としては、プラスチックフィルム、プラスチックシートが好ましく、ポリオレフィン樹脂、ビニル系樹脂、ポリエステル樹脂、アクリル樹脂、ポリアミド樹脂、セルロース系樹脂、ポリスチレン樹脂、ポリカーボネート樹脂、ポリアリレート樹脂、ポリイミド樹脂などからなるものが好ましく挙げられる。なかでも、可視光透過性や作業性などを考慮すると、ポリエチレン、ポリプロピレン、ポリブテン、ポリメチルペンテン、エチレン／プロピレン共重合体、エチレン／プロピレン／ブテン共重合体、ポリオレフィン系熱可塑性エラストマーなどのポリオレフィン樹脂の透明樹脂基材が好ましく、ポリエチレン、ポリプロピレンがより好ましい。
【００２２】
本発明に係る樹脂基材２は透明であることに限定されないが、有機ガラスの透明ガラス、着色透明ガラス、曇りガラスなどの特性を生かす観点から、透明であるであることが好ましい。
また、樹脂基材２には、可視光透過性を阻害しない範囲内であれば、色彩を整えるための塗装や、デザイン的な観点での模様があらかじめ形成されていてもよい。
樹脂基材２の厚さについては特に制限はないが、優れた耐候性を確保し、かつ作業性や汎用性を考慮すると、通常２０〜２００μｍ程度、好ましくは３０〜１５０μｍの範囲である。
【００２３】
樹脂基材２は、その上に設けられる保護層３との密着性を向上させるために、所望により、片面または両面にコロナ放電処理、クロム酸化処理、熱風処理、オゾン・紫外線処理法などの酸化法や、サンドブラスト法、溶剤処理法などの凹凸化法といった、物理的または化学的表面処理を施すことができる。
【００２４】
樹脂基材２は、該樹脂基材２とその上に設けられる層との層間密着性の強化などを目的として、易接着層を形成するなどの処理を施しても良く、予め上記のような表面処理が施された市販品や、易接着剤層が設けられたものを用いることもできる。
【００２５】
≪接着層４≫
本発明の有機ガラス積層用フィルム１は、所望により、樹脂基材２と保護層３との間に接着層４を有してもよい。樹脂基材２と保護層３との間の層間密着性を強化するためである。接着層４の形成に用いられる材料としては特に限定されず、ポリウレタン系樹脂、ポリエステル系樹脂、アクリル系樹脂、酢酸ビニル系樹脂、塩化ビニル−酢酸ビニル系共重合体樹脂、セルロース系樹脂、塩素化ポリエチレン、塩素化ポリプロピレンなどの樹脂の１種単独又は２種以上の混合物が用いられるが、特にポリウレタン系２液硬化型樹脂を用いたものが好ましい。
ポリウレタン系２液硬化型樹脂としては、例えば塩化ビニル−酢酸ビニル共重合体系、ポリエステル系、ウレタン系、アクリル系、ポリエーテル系、ポリカーボネート系などのポリマーポリオール単独、又はそれらの混合物に対して、使用直前に硬化剤を添加したものが用いられる。
硬化剤としては、多価イソシアネートが好ましく、例えば、２，４−トリレンジイソシアネート、キシリレンジイソシアネート、ナフタレンジイソシアネート、４，４’−ジフェニルメタンジイソシアネートなどの芳香族イソシアネート；１，６−ヘキサメチレンジイソシアネート、２，２，４−トリメチルヘキサメチレンジイソシアネート、イソホロンジイソシアネート、水素添加トリレンジイソシアネート、水素添加ジフェニルメタンジイソシアネートなどの脂肪族（乃至は脂環式）イソシアネート；を用いることができ、あるいは、上記各種イソシアネートの付加体又は多量体、例えば、トリレンジイソシアネートの付加体、トリレンジイソシアネート３量体なども用いることができる。
また、本発明において、ポリウレタン系２液硬化型樹脂は、ポリマーポリオールの未硬化時のガラス転移温度Ｔｇが６５℃以上であることが好ましく、該ガラス転移温度Ｔｇの上限に特に制限はないが、通常１１０℃程度であり、好ましいＴｇは７０〜１１０℃の範囲であり、より好ましいＴｇは７０〜１００℃の範囲である。ガラス転移温度Ｔｇが上記範囲内であると、優れた密着性が得られる。
【００２６】
接着層４には保護層３に用いられる紫外線吸収剤や光安定剤を含有させることもできるので、本発明の有機ガラス積層用フィルム１に、より優れた耐候性を付与することもできる。接着層４における紫外線吸収剤の含有量は、接着層４の形成に用いられる樹脂１００質量部に対して、５〜４０質量部が好ましく、５〜３０質量部がより好ましく、５〜２５質量部がさらに好ましい。また、光安定剤の含有量は、接着層４の形成に用いられる樹脂１００質量部に対して、５〜４０質量部が好ましく、５〜３０質量部がより好ましく、５〜２０質量部がさらに好ましい。
接着層４の厚さは、０．１〜２０μｍであることが好ましく、０．５〜１０μｍがより好ましく、１〜５μｍがさらに好ましい。
【００２７】
≪裏面接着層≫
本発明の有機ガラス積層用フィルム１は、上記保護層３を設けた樹脂基材２面の反対側の面に、必要に応じ、有機ガラスとの接着をより高める観点から、裏面接着層を設けることができる。裏面接着層としては、感熱接着剤や加圧接着剤などで構成されるものが挙げられるが、本発明においては、必要に応じて加熱及び加圧によって、加飾成形品に対する密着性を発現するヒートシール層であることが好ましい。接着剤層１６を構成する接着剤に用いられる樹脂としては、例えば、アクリル系樹脂、塩化ビニル系樹脂、酢酸ビニル系樹脂、塩化ビニル−酢酸ビニル系共重合樹脂、スチレン−アクリル系共重合樹脂、ポリエステル系樹脂、ポリアミド系樹脂などの中から選ばれる少なくとも１種の樹脂を挙げることができる。前記樹脂の中から選択した１種又は２種以上の樹脂を溶液、あるいはエマルジョンなど塗布可能な形にしたものを、グラビア印刷法、スクリーン印刷法またはグラビア版を用いたリバースコーティング法などの手段により塗布、乾燥して形成することができる。
裏面接着層の厚さは、０．１〜２０μｍであることが好ましく、０．５〜１０μｍがより好ましく、１〜５μｍがさらに好ましい。
裏面接着層を設ける場合は、保護層３を形成するための電離放射線硬化性樹脂組成物の塗布前又は後に、樹脂基材２の電離放射線硬化性樹脂組成物層を設けた面とは反対の面に、裏面接着層を形成する接着剤を塗布する。
裏面接着剤層には、ベンゾフェノン系化合物、ベンゾトリアゾール系化合物、シュウ酸アニリド系化合物、シアノアクリレート系化合物、サリシレート系化合物などの有機系の紫外線吸収剤や、亜鉛、チタン、セリウム、スズ、鉄などの酸化物のような無機系の紫外線吸収能を有する微粒子の添加剤を含有させることができる。また、添加剤として、着色顔料、白色顔料、体質顔料、充填剤、帯電防止剤、酸化防止剤、蛍光増白剤なども適宜、必要に応じて含有させることができる。
【００２８】
本発明の有機ガラス積層用フィルム１は、例えば以下の方法により好ましく製造することができる。樹脂基材２の一方の面に、所望により設けられる接着層４形成用の樹脂組成物を塗布し、次いで本発明に係る電離放射線硬化性樹脂組成物を塗布する。ここで、接着層４形成用の樹脂組成物及び電離放射線硬化性樹脂組成物の塗布は、各々硬化後の厚さが上記範囲内となるようにグラビアコート、バーコート、ロールコート、リバースロールコート、コンマコートなどの公知の方式、好ましくはグラビアコートにより行う。
【００２９】
本発明に係る電離放射線硬化性樹脂組成物を塗布して形成した未硬化樹脂層は、電子線、紫外線などの電離放射線を照射して架橋硬化することで、保護層３となる。ここで、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
【００３０】
照射線量は、ポリカーボネート（メタ）アクリレートと多官能（メタ）アクリレートの架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる。
【００３１】
［有機ガラス成形品の製造方法］
以上のようにして得られた本発明の有機ガラス積層用フィルム１は、好ましくは有機ガラス成形時において積層され、成形方法は限定されない。
成形方法として、例えば、サーモジェクト成形法（加熱真空成形工程と射出成形工程を１つにした射出成形法）、インサート成形法、インモールド成形法等の射出成形法、押出し成形法、射出プレス成形法等の種々の成形方法が用いられる。
サーモジェクト成形法、インサート成形法又はインモールド成形法においては、有機ガラス積層用フィルム１の裏面にポリカーボネート樹脂等の有機ガラス樹脂を射出して、種々の曲面を有する自動車用窓ガラス等の有機ガラス成形品を製造することができる。インモールド成形法では、有機ガラス積層用フィルム１を加熱することなく、射出成型機の金型内に挟み込み、射出することにより、基体用樹脂（射出樹脂）の熱等で有機ガラス積層用フィルム１を積層することができる。
また、押出し成形法では、ポリカーボネート樹脂等の有機ガラスがダイスから吐出する直後又は冷却後に、ロール等で、有機ガラス積層用フィルム１の裏面を有機ガラス（基体用樹脂）に圧着して積層することができる。
さらに、射出プレス成形法では、型開きした金型に予め有機ガラス積層用フィルム１を配置し、圧縮ストローク分だけ開いた金型空間に溶融樹脂を射出し、充填完了後金型を閉じ、型締め力で圧縮して、有機ガラス積層用フィルム１を有機ガラス（基体用樹脂）に積層する。
また、本発明の有機ガラス積層用フィルム１を有機ガラス（基体用樹脂）に貼着した後、有機ガラス（基体用樹脂）を加熱成形して自動車用窓ガラス等の有機ガラス成形品を製造してもよい。
本発明の有機ガラス積層用フィルムは、優れた自浄性に加えて、透明性、耐候性、耐傷性及び三次元成形性にも優れる。これらの優れた性能を有効に活用する観点から、上記の方法のなかでも、射出成形法、すなわちサーモジェクト成形法、インサート成形法、あるいはインモールド成形法が好適に採用される。以下、これらの成形法について、より具体的に説明するが、有機ガラス成形品の製造方法はこれらの例示には限定されない。
本発明の有機ガラス積層用フィルム１は、成形時に熱がかかっても、自浄性を有する状態が維持できる効果を奏する。
【００３２】
本発明の有機ガラス成形品の製造方法は、有機ガラス積層用フィルム１を金型内に配置する工程（１）、基体用樹脂を金型内に射出する工程（２）、及び該基体用樹脂が冷却した後に金型から有機ガラス成形品を取り出す工程（３）をこの順に有することが好ましい。この製造方法として、以下に、サーモジェクト成形法、インサート成形法及びインモールド成形法を例示するが、これらの方法には限定されない。
【００３３】
本発明の有機ガラス積層用フィルム１を用いて、サーモジェクト成形法により本発明の有機ガラス成形品を製造する場合は、例えば、以下の工程（１）〜（６）により製造することができる。
（１）有機ガラス積層用フィルム１の保護層側を金型側に向けつつ供給する工程。この工程において、本発明の有機ガラス積層用フィルム１は、射出成形機のキャビティ（凹型）側に保護層を向けてもよいし、コア（凸型）側に保護層を向けてもよい。また、キャビティ（凹型）側及びコア（凸型）側の双方に保護層を向けてもよい。
（２）該有機ガラス積層用フィルム１をフィルムクランプと金型とで挟持する工程。
（３）必要に応じて設けられる、熱盤によって該有機ガラス積層用フィルムの予備成形する領域を加熱する工程。
（４）該有機ガラス積層用フィルム１を金型内形状に沿うように予備成形して金型内面に密着させて型締する工程。
（５）基体用樹脂を金型内に射出する工程。
（６）該基体用樹脂が冷却した後に金型から有機ガラス成形品を取り出す工程。
【００３４】
また、本発明の有機ガラス積層用フィルム１を用いて、インサート成形法により本発明の有機ガラス成形品を製造する場合は、例えば、以下の工程（１）〜（４）により製造することができる。
（１）上記有機ガラス積層用フィルム１の樹脂基材側に支持体層を配置する工程。支持体層を構成する樹脂としては限定されないが、有機ガラス（基体用樹脂）又は樹脂基材２と同じ樹脂であることが好ましい。
（２）該有機ガラス積層用フィルム１の保護層側を金型側に配置して真空成形する工程。この工程において、本発明の有機ガラス積層用フィルム１は、サーモジェクト成形法と同様に、射出成形機のキャビティ（凹型）側に保護層を向けてもよいし、コア（凸型）側に保護層を向けてもよい。また、キャビティ（凹型）側及びコア（凸型）側の双方に保護層を向けてもよい。
（３）真空成形後の支持体層付き該有機ガラス積層用フィルム１の支持体層側に射出するように、基体用樹脂を金型内に射出する工程。
（４）該基体用樹脂が冷却した後に金型から有機ガラス成形品を取り出す工程。
【００３５】
本発明の有機ガラス積層用フィルム１を用いて、インモールド成形法により本発明の有機ガラス成形品を製造する場合は、例えば、以下の工程（１）〜（３）により製造することができる。この方法により、基体用樹脂の表面に積層用フィルムを一体化接着させて有機ガラス成形品を製造することができる。
（１）有機ガラス積層用フィルムを金型内に配置する工程。
（２）必要に応じて真空引きし、基体用樹脂を金型内に射出する工程。
（３）該基体用樹脂が冷却した後に金型から有機ガラス成形品を取り出す工程。
【００３６】
［有機ガラス成形品］
本発明の有機ガラス成形品は、少なくとも樹脂基体、樹脂基材及び保護層をこの順に有し、該保護層が電離放射線硬化性樹脂とフッ素含有界面活性剤とを含有する電離放射線硬化性樹脂組成物の硬化物からなり、該電離放射線硬化性樹脂が少なくともポリカーボネート（メタ）アクリレートと多官能（メタ）アクリレートとを質量比｛ポリカーボネート（メタ）アクリレート／多官能（メタ）アクリレート｝として（９８／２）〜（５０／５０）で含有することを特徴とする有機ガラス成形品である。
【００３７】
≪樹脂基体≫
有機ガラス成形品に用いられる樹脂基体を構成する基体用樹脂としては、射出成形可能な樹脂であれば特に制限されず、様々な樹脂を用いることができる。このような樹脂としては、例えばポリ塩化ビニル、ポリ塩化ビニリデンなどのビニル系重合体；ポリスチレン、アクリロニトリル−スチレン系共重合体、ＡＢＳ樹脂（アクリロニトリル−ブタジエン−スチレン共重合体樹脂）などのスチレン系樹脂；ポリメチル（メタ）アクリレート、ポリエチル（メタ）アクリレート、ポリアクリロニトリルなどのアクリル系樹脂；ポリエチレン、ポリプロピレン、ポリブテンなどのポリオレフィン系樹脂、ポリエチレンテレフタレート、エチレングリコール−テレフタル酸−イソフタル酸共重合体、ポリブチレンテレフタレートなどのポリエステル系樹脂；ポリカーボネート系樹脂などが挙げられる。有機ガラスとしては、透明性、耐衝撃性の観点で、アクリル系樹脂又はポリカーボネート系樹脂であることが好ましい。
また、これらの樹脂には、必要に応じて各種添加剤、例えば酸化防止剤、熱安定剤、紫外線吸収剤、光安定剤、難燃剤、可塑剤、シリカ、アルミナ、炭酸カルシウム、水酸化アルミニウムなどの無機物粉末、木粉、ガラス繊維などの充填剤、滑剤、離型剤、帯電防止剤、着色剤などを添加することができる。なお、基体用樹脂は、用途に応じて適宜、着色剤を添加して着色した樹脂を使用しても良い。着色剤には、前述の基材に用いることのできるものと同様の公知の着色剤を使用できる。
有機ガラス成形品に用いられる樹脂基体の厚みについては特に制限はなく、当該有機ガラス成形品の用途に応じて選定されるが、通常１〜２０ｍｍが好ましく、２〜１０ｍｍがより好ましい。基板の厚さが１ｍｍ以上であると面剛性などの実用的な強度が十分となり、２０ｍｍ以下であると加工性が向上する。
【実施例】
【００３８】
次に、本発明を実施例により、さらに詳細に説明するが、本発明は、この例によってなんら限定されるものではない。
（評価方法）
（１）フィルムの自浄性
実施例及び比較例で得られた有機ガラス積層用フィルムを、屋外南向きに傾斜４５°で設置した。その後、表面の汚れの付着及び沈着状態を、目視観察により下記の基準で評価したものを初期性能の評価とした。
◎  ：汚れの付着や沈着は全く確認されなかった。
○  ：汚れの付着や沈着はほとんどなかった。
△  ：汚れの付着や沈着は若干あり、実用上耐えないものだった。
×  ：汚れの付着や沈着が著しかった。
【００３９】
（２）成形品の自浄性
実施例及び比較例で得られた有機ガラス積層用フィルムを用い、ポリカーボネート樹脂を基体用樹脂（射出樹脂）として射出成形同時積層方法（サーモジェクト工法）により、該フィルムとポリカーボネート樹脂からなる有機ガラスとの積層体である有機ガラス成形品を得た。該成形品の自浄性をフィルムと同様の方法で評価した。
◎  ：汚れの付着や沈着は全く確認されなかった。
○  ：汚れの付着や沈着はほとんどなかった。
△  ：汚れの付着や沈着は若干あり、実用上耐えないものだった。
×  ：汚れの付着や沈着が著しかった。
（３）自浄性効果の発現速度
有機ガラス積層用フィルムを室内で放置後、各保護層の親水性が発現するまでの時間を評価した。
◎：１週間以内
○：１週間以上1ヶ月未満
△：１ヶ月以上２ヶ月未満
×：２ヶ月以上
【００４０】
実施例１及び比較例１
樹脂基材として、透明ポリエチレンテレフタレ−ト樹脂（厚さ：７５μｍ）からなる樹脂フィルムを準備した。ポリウレタン系２液硬化型樹脂（アクリル系ポリマーポリオールと硬化剤としてキシリレンジイソシアネートとを、ＮＣＯ当量とＯＨ当量とが同量になるように含む組成物、ガラス転移温度Ｔｇ（ポリオールの未硬化時）：１００℃）８０質量部並びにウレタン樹脂（ガラス転移点：−３０〜−４０℃）２０質量部からなるプライマー組成物の溶液をグラビア印刷により塗布して、接着層（厚み１．５μｍ）を形成した。次いで、第１表に記載した電離放射線硬化性樹脂組成物を調製し、グラビアコート法にて塗膜を形成し、１７５ｋｅＶ及び５Ｍｒａｄ（５０ｋＧｙ）の条件で電子線を照射して上記塗膜を硬化させることにより、保護層（１０ｇ／ｍ2）を形成した。得られた保護層の厚さは１０μｍであった。
得られたフィルムについて、上記の評価を行った。評価結果を第１表に示す。
【００４１】
【表１】
0005838890.tif 000002
【００４２】
［注］
＊１：  ２官能ポリカーボネートアクリレート（重量平均分子量：１０，０００）
＊２：  ６官能ウレタンアクリレートオリゴマー（重量平均分子量：６，０００）
＊３：  ノニオン性フッ素含有界面活性剤：  パーフルオロアルキルエチレンオキシド付加物、ＡＧＣセイミケミカル株式会社製、商品名「サーフロン Ｓ−２４３」
【００４３】
実施例１で得られた有機ガラス積層用フィルムは、比較例１対比、フィルムの自浄性、フィルムの自浄効果の発現速度、及び成形品の自浄性の点で優れた結果を示すことが確認された。
【産業上の利用可能性】
【００４４】
本発明の有機ガラス積層用フィルムは、透明樹脂基材上に保護層を有し、該保護層が特定の電離放射線硬化性樹脂とフッ素含有界面活性剤とを含有する電離放射線硬化性樹脂組成物の硬化物からなるので、このフィルムを積層した有機ガラス積層体等の有機ガラス成形品は、一般住居の玄関ドアや外装材、公共施設の床材や外壁、屋根などの建造物外装、あるいは自動車、列車、船舶、航空機、産業機械、重機などの構造物外装、とりわけ窓材やサンルーフ材、さらにはヘッドランプ、ヘッドランプカバーなどといった、従来無機ガラスが用いられていた部分に好適に用いられる。
【符号の説明】
【００４５】
１．有機ガラス積層用フィルム
２．樹脂基材
３．保護層
４．接着層
【図１】
0005838890.tif 000003